(57)【要約】【課題】貨幣に紛れ込んだ異物が、投入後の貨幣の搬送路に侵入することを抑制できる貨幣入金装置、および、この貨幣入金装置を含む貨幣処理装置を提供する。【解決手段】貨幣入金装置１は、貨幣が投入される投入口４と、投入口４に投入された貨幣（ここでは紙幣Ｓ）を受け入れる受入空間９と、受入空間９から貨幣を搬送するための搬送路１０と、受入空間９に受け入れられた貨幣を搬送路１０へ繰り出す繰出部１７と、受入空間９に送風する送風部３１と、投入口４への紙幣Ｓの投入を検知する第１検知部と、制御部とを含む。制御部は、第１検知部が投入口４への貨幣の投入を検知してから繰出部１７が紙幣Ｓの繰り出しを開始するまでのいずれかのタイミングにおいて、送風部３１を制御することによって受入空間９に送風する。【選択図】図２
2017167951.tif 000002
【特許請求の範囲】
【請求項１】
貨幣が投入される投入口と、
前記投入口に投入された貨幣を受け入れる受入空間と、
前記受入空間から貨幣を搬送するための搬送路と、
前記受入空間に受け入れられた貨幣を前記搬送路へ繰り出す繰出部と、
前記受入空間に送風する送風部と、
前記投入口への貨幣の投入を検知する第１検知部と、
前記第１検知部が前記投入口への貨幣の投入を検知してから前記繰出部が貨幣の繰り出しを開始するまでのいずれかのタイミングにおいて、前記送風部を制御することによって前記受入空間に送風する制御部とを含む、貨幣入金装置。  
【請求項２】
前記送風部の送風によって前記受入空間の貨幣から除去された異物を回収する回収部を含む、請求項１に記載の貨幣入金装置。
【請求項３】
前記制御部に制御されることによって前記投入口を開閉する開閉部を含み、
前記開閉部が前記投入口を開いた開状態と、前記開閉部が前記投入口を閉じた閉状態とに応じて前記送風部による送風の風量が異なるように、前記制御部は前記送風部を制御する、請求項１または２に記載の貨幣入金装置。
【請求項４】
前記タイミングは、前記投入口への貨幣の投入後に前記開閉部が前記閉状態になってから前記繰出部が貨幣の繰り出しを開始するまでのタイミングであり、
前記タイミングにおいて、前記開閉部が前記開状態にある場合よりも風量の多い送風が発生するように、前記制御部は前記送風部を制御する、請求項３に記載の貨幣入金装置。
【請求項５】
前記送風部は、前記受入空間にある貨幣の端縁部に対して送風する、請求項１〜４のいずれか一項に記載の貨幣入金装置。
【請求項６】
前記送風部は、前記繰出部による貨幣の繰り出し方向と対向する方向へ向けて前記受入空間に送風する、請求項１〜５のいずれか一項に記載の貨幣入金装置。
【請求項７】
前記送風部による送風の向きを変更する変更部を含む、請求項１〜６のいずれか一項に記載の貨幣入金装置。
【請求項８】
前記受入空間における貨幣の数量を検知する第２検知部を含み、
前記タイミングにおいて、前記第２検知部が検知した貨幣の数量に応じた風量の送風が発生するように、前記制御部は前記送風部を制御する、請求項１〜７のいずれか一項に記載の貨幣入金装置。
【請求項９】
請求項１〜８のいずれか一項に記載の貨幣入金装置と、
前記貨幣入金装置に入金された貨幣を処理する処理部とを含む、貨幣処理装置。
【発明の詳細な説明】
【技術分野】
【０００１】
この発明は、貨幣が入金される貨幣入金装置、および、この貨幣入金装置を含む貨幣処理装置に関する。
【背景技術】
【０００２】
下記特許文献１の紙幣入出金機は、紙幣が投入される紙幣投入部と、紙幣投入部において網目状に形成された収納底部の下方に配置された異物収納部と、異物収納部の側面の開口に対向したファンと、前記側面とファンとの間に配置された発熱体と、紙幣投入部の紙幣の湿度を測定する湿度センサとを含む。紙幣に紛れて紙幣投入部に投入された異物は、収納底部の網目の隙間から異物収納部に落ちる。紙幣投入部に投入された紙幣が湿っていることによって当該紙幣の湿度測定値が判定値を超えている場合には、発熱体が発熱してファンが作動することによって、熱風が発生する。熱風は、異物収納部を通過して収納底部から紙幣投入部の紙幣に一定時間吹き付けられることによって、紙幣を乾燥させる。
【先行技術文献】
【特許文献】
【０００３】
【特許文献１】特開２００６−５３６１９号公報
【発明の概要】
【発明が解決しようとする課題】
【０００４】
特許文献１の紙幣入出金機では、紙幣に紛れて紙幣投入部に投入された異物を、当該異物の自重により落下させることによって紙幣から除去するので、軽い異物は、落下せずに紙幣に紛れたままになる虞がある。また、ファンの作動により生じた風は、湿った紙幣を乾燥させるために利用されるのであって、異物の除去を目的としたものではない。そもそも、紙幣投入部の紙幣についての湿度測定値が判定値を超えていない場合にはファンが作動しないので、ファンの作動により生じた風を異物の除去のために必ず利用できる訳ではない。このような構成では、異物が紙幣に紛れ込んだまま紙幣投入部から搬送されることによって、異物が紙幣の搬送路に侵入して詰まる不具合が生じ得る。
【０００５】
この発明は、かかる背景のもとでなされたもので、貨幣に紛れ込んだ異物が、投入後の貨幣の搬送路に侵入することを抑制できる貨幣入金装置、および、この貨幣入金装置を含む貨幣処理装置を提供することを目的とする。
【課題を解決するための手段】
【０００６】
本発明は、貨幣が投入される投入口と、前記投入口に投入された貨幣を受け入れる受入空間と、前記受入空間から貨幣を搬送するための搬送路と、前記受入空間に受け入れられた貨幣を前記搬送路へ繰り出す繰出部と、前記受入空間に送風する送風部と、前記投入口への貨幣の投入を検知する第１検知部と、前記第１検知部が前記投入口への貨幣の投入を検知してから前記繰出部が貨幣の繰り出しを開始するまでのいずれかのタイミングにおいて、前記送風部を制御することによって前記受入空間に送風する制御部とを含む、貨幣入金装置である。
【０００７】
また、本発明は、前記送風部の送風によって前記受入空間の貨幣から除去された異物を回収する回収部を含むことを特徴とする。
【０００８】
また、本発明は、前記制御部に制御されることによって前記投入口を開閉する開閉部を含み、前記開閉部が前記投入口を開いた開状態と、前記開閉部が前記投入口を閉じた閉状態とに応じて前記送風部による送風の風量が異なるように、前記制御部は前記送風部を制御することを特徴とする。
【０００９】
また、本発明は、前記タイミングは、前記投入口への貨幣の投入後に前記開閉部が前記閉状態になってから前記繰出部が貨幣の繰り出しを開始するまでのタイミングであり、前記タイミングにおいて、前記開閉部が前記開状態にある場合よりも風量の多い送風が発生するように、前記制御部は前記送風部を制御することを特徴とする。
【００１０】
また、本発明は、前記送風部は、前記受入空間にある貨幣の端縁部に対して送風することを特徴とする。
【００１１】
また、本発明は、前記送風部は、前記繰出部による貨幣の繰り出し方向と対向する方向へ向けて前記受入空間に送風することを特徴とする。
【００１２】
また、本発明は、前記送風部による送風の向きを変更する変更部を含むことを特徴とする。
【００１３】
また、本発明は、前記受入空間における貨幣の数量を検知する第２検知部を含み、前記タイミングにおいて、前記第２検知部が検知した貨幣の数量に応じた風量の送風が発生するように、前記制御部は前記送風部を制御することを特徴とする。
【００１４】
また、本発明は、前記貨幣入金装置と、前記貨幣入金装置に入金された貨幣を処理する処理部とを含む、貨幣処理装置である。
【発明の効果】
【００１５】
本発明によれば、貨幣入金装置では、投入口に投入された貨幣は、受入空間に受け入れられた後に、繰出部によって搬送路へ繰り出される。第１検知部が投入口への貨幣の投入を検知してから繰出部が貨幣の繰り出しを開始するまでのいずれかのタイミングにおいて、制御部が、送風部を制御することによって受入空間に送風する。これにより、投入された貨幣が受入空間から搬送路へ繰り出されるよりも前の段階において、受入空間への送風の勢いによって当該貨幣から異物を除去することができる。そのため、投入された貨幣は、必ず異物除去処理が施されてから搬送路へ繰り出されるので、異物が貨幣に紛れて搬送路に侵入することを抑制できる。
【図面の簡単な説明】
【００１６】
【図１】図１は、本発明の一実施形態に係る貨幣入金装置を含む貨幣処理装置を正面側から見た模式的な斜視図である。
【図２】図２は、貨幣入金装置の一例である紙幣入金装置における要部の模式的な縦断面右側面図である。
【図３】図３は、図２のＡ−Ａ矢視断面図である。
【図４】図４は、図２のＢ−Ｂ矢視断面図である。
【図５】図５は、紙幣入金装置の電気的構成を示したブロック図である。
【図６】図６は、紙幣入金装置において実施される処理の手順を示すフローチャートである。
【図７】図７は、貨幣入金装置の一例である硬貨入金装置における要部の模式的な斜視図である。
【発明を実施するための形態】
【００１７】
以下には、図面を参照して、この発明の実施形態について具体的に説明する。図１は、本発明の一実施形態に係る貨幣入金装置１を含む貨幣処理装置２を正面側から見た模式的な斜視図である。貨幣処理装置２は、両替機やＡＴＭ等のように貨幣（紙幣および硬貨の少なくともいずれか）が入金される装置全般である。貨幣処理装置２において貨幣の入金に関連する構成が、貨幣入金装置１である。貨幣処理装置２は、貨幣入金装置１に入金された貨幣を処理する処理部２Ａを内蔵している。処理部２Ａによる処理の一例は、入金された貨幣の識別や計数や収納等である。
【００１８】
貨幣入金装置１は、貨幣処理装置２と一体化されてもよいし、単体のまま貨幣処理装置２から取り外し可能であってもよい。もちろん、貨幣入金装置１は、貨幣処理装置２とは別の単独の装置として存在してもよい。図１では、紙幣が入金される紙幣入金装置１Ａと、硬貨が入金される硬貨入金装置１Ｂとが別々に存在し、紙幣入金装置１Ａおよび硬貨入金装置１Ｂのそれぞれが貨幣入金装置１を構成している。もちろん、紙幣入金装置１Ａと硬貨入金装置１Ｂとが一体となって１台の貨幣入金装置１を構成してもよい。
【００１９】
以下では、まず紙幣入金装置１Ａに着目して、貨幣入金装置１について説明する。説明の際に、図１において正面側から見たときの貨幣処理装置２の左右方向Ｘ、前後方向Ｙおよび上下方向Ｚを用いることがある。左右方向Ｘは、左側Ｘ１および右側Ｘ２を含み、前後方向Ｙは、前側Ｙ１および後側Ｙ２を含み、上下方向Ｚは、上側Ｚ１および下側Ｚ２を含む。左右方向Ｘおよび前後方向Ｙは、水平方向Ｈに含まれる。なお、図１では、紙幣入金装置１Ａと硬貨入金装置１Ｂとが左右方向Ｘに並んで配置されているが、貨幣処理装置２における紙幣入金装置１Ａおよび硬貨入金装置１Ｂのそれぞれのレイアウトは、任意に設定可能である。
【００２０】
紙幣入金装置１Ａは、その筐体をなす装置本体３を含む。装置本体３は、例えばボックス状に形成されている。装置本体３において、上面３Ａの前側部分と前面３Ｂとは、使用者がアクセスできるように、貨幣処理装置２から前側Ｙ１へ露出されている。装置本体３は、前上側へ膨出するように湾曲しながら上面３Ａの前端部と前面３Ｂの上端部とをつないだ湾曲面３Ｃを有する。湾曲面３Ｃには、使用者によって入金用の紙幣が投入される投入口４が形成されている。投入口４は、例えば略矩形状に形成された穴であって、前上側を向いている。前面３Ｂにおいて投入口４に下側Ｚ２から隣接する位置には、後側Ｙ２へ窪んだ凹部３Ｄが形成されている。紙幣入金装置１Ａは、投入口４を開閉する開閉部５と、開閉部５を支持する支持部６とを含む。なお、図１では、紙幣を出金するための出金口７と、出金口７を開閉するシャッター８とが前面３Ｂに設けられているが、出金口７およびシャッター８のように紙幣を出金するための構成は、紙幣入金装置１Ａでなく、貨幣処理装置２の処理部２Ａ等に設けられてもよい。
【００２１】
開閉部５は、湾曲面３Ｃに沿って湾曲した板状に形成されたシャッターであって、投入口４を塞ぎ得る大きさを有している。支持部６は、開閉部５とほぼ同じ曲率にて湾曲した中空の板状に形成されていて、前側Ｙ１へ向かうにつれて湾曲しながら上側Ｚ１へ延びている。支持部６は、装置本体３とは別の部品として装置本体３に取り付けられてもよいし、装置本体３の一部であってもよい。支持部６は、凹部３Ｄを上側Ｚ１から塞いでいて、支持部６の上端部は、投入口４の下端部を縁取っている。
【００２２】
図２は、紙幣入金装置１Ａの上側部分の模式的な縦断面右側面図である。なお、図２では、図示の便宜上、断面部分のハッチングが省略された部材が存在する（後述する図３および図４においても同様）。中空の支持部６における内部空間６Ａは、開閉部５とほぼ同じ曲率にて湾曲していて、支持部６の上端部から露出されている。開閉部５における少なくとも下端部５Ａが、内部空間６Ａに上側Ｚ１から嵌め込まれている。これにより、開閉部５は、支持部６によって支持されており、この状態において、開閉部５の湾曲に沿って上下にスライド可能である。上限までスライドした開閉部５は、閉状態にあり、下限までスライドした開閉部５は、開状態にある。図２に示すように閉状態にある開閉部５では、下端部５Ａ以外のほとんどの部分が、内部空間６Ａから上側Ｚ１へはみ出していて、投入口４を完全に閉じている。図示しないが、開状態の開閉部５は、内部空間６Ａに完全に収容されて投入口４から下側Ｚ２へずれることによって、投入口４を開いて前側Ｙ１へ露出させる。装置本体３は、開閉部５を開閉させるモータ等の駆動部（図示せず）を含む。
【００２３】
装置本体３には、投入口４から連続して下側Ｚ２へ窪んだ凹状の受入空間９と、受入空間９から連続して後側Ｙ２へ延びた搬送路１０とが設けられている。受入空間９は、支持部６によって下側Ｚ２から塞がれ、装置本体３の左壁３Ｅおよび右壁３Ｆによって左右方向Ｘの両側から塞がれている（後述する図３も参照）。開閉部５が開状態にある場合には、受入空間９が投入口４を介して前側Ｙ１へ露出される。この状態において使用者が紙幣Ｓを投入口４に投入すると、紙幣Ｓが受入空間９に受け入れられる。図２に示すように開閉部５が閉状態にある場合には、受入空間９が密閉された状態にあるので、使用者は、投入口４を介して受入空間９にアクセスすることができない。
【００２４】
紙幣入金装置１Ａは、受入空間９に配置された受け部１５、押さえ部１６および繰出部１７を含む。受け部１５は、例えば板状に形成され、受入空間９の下部において支持部６から後側Ｙ２へ延びている。受け部１５の上面１５Ａは、水平方向Ｈに沿っていてもよいし、図２に示すように水平方向Ｈに傾斜して後上側へ延びていてもよい。支持部６の上面において受け部１５に対して下側Ｚ２から対向している部分を、回収面６Ｂといい、受入空間９において受け部１５と回収面６Ｂとの間の部分を、回収空間９Ａという。
【００２５】
受入空間９に受け入れられた紙幣Ｓは、紙幣Ｓの長手方向が左右方向Ｘと一致した状態において、受け部１５の上面１５Ａによって下側Ｚ２から受けられて立った状態にある。なお、立った状態にある紙幣Ｓは、必ずしも垂直方向に沿っていなくてもよく、例えば図２に示すように垂直方向に対して前側Ｙ１へ傾いていてもよい。また、複数の紙幣Ｓが受入空間９に受け入れられた場合には、これらの紙幣Ｓは、前後に積層されて立った状態にある。受け部１５は、複数の隙間１５Ｂを有する網や格子等によって構成されている。投入された紙幣Ｓにクリップや輪ゴムやゴミやホコリ等の異物Ｂが紛れ込んでいる場合には、異物Ｂを、その自重によって、受け部１５の隙間１５Ｂから下側Ｚ２の回収空間９Ａへ落下させることができる。なお、紙幣入金装置１Ａでは、硬貨も異物Ｂの一種である。
【００２６】
押さえ部１６は、例えばブロック状に形成されていて、装置本体３の左壁３Ｅおよび右壁３Ｆによって支持されている。このように支持された押さえ部１６は、受入空間９において、受け部１５の上面１５Ａに沿って前後にスライド可能である。実線によって示すように支持部６に最も接近した押さえ部１６は、前進位置にあり、１点鎖線によって示すように支持部６から後側Ｙ２へ最も離れた押さえ部１６は、後退位置にある。装置本体３は、押さえ部１６をスライドさせるアクチュエータ等の駆動部（図示せず）を含む。紙幣Ｓが投入口４に投入される前の段階では、押さえ部１６は前進位置にある。そのため、投入口４に投入された紙幣Ｓは、前進位置の押さえ部１６に対して後側Ｙ２から寄りかかった状態において受け部１５の上に立つ。その後、押さえ部１６は、後退位置まで後退することによって、受入空間９の紙幣Ｓを立ったままの状態において後側Ｙ２へ押し込む（破線によって示した紙幣Ｓを参照）。
【００２７】
繰出部１７は、受入空間９に受け入れられた紙幣Ｓを搬送路１０へ繰り出すための構成であり、一例として、装置本体３の左壁３Ｅおよび右壁３Ｆによって支持されたキックローラ１８とフィードローラ１９と逆転ローラ２０とを含む。キックローラ１８、フィードローラ１９および逆転ローラ２０は、左右方向Ｘに延びる中心軸を有する円筒体である。キックローラ１８は、後退位置の押さえ部１６（１点鎖線参照）に後側Ｙ２から対向する位置にある。フィードローラ１９は、キックローラ１８の後下側に配置されている。逆転ローラ２０は、受け部１５よりも下側Ｚ２においてフィードローラ１９に対して前側Ｙ１から対向している。搬送路１０は、フィードローラ１９と逆転ローラ２０との間から後側Ｙ２へ延びている。
【００２８】
キックローラ１８、フィードローラ１９および逆転ローラ２０は、それぞれの中心軸まわりに自転するように駆動回転される。具体的に、キックローラ１８およびフィードローラ１９は、同じ方向に駆動回転され、逆転ローラ２０は、フィードローラ１９とは逆の方向に駆動回転される（破線の矢印を参照）。装置本体３は、キックローラ１８、フィードローラ１９および逆転ローラ２０を回転させるモータ等の駆動部（図示せず）を含む。
【００２９】
図２のＡ−Ａ矢視断面図である図３を参照して、紙幣入金装置１Ａは、送風部３１と、回収部３２と、第１検知部３３とを含む。送風部３１は、この実施形態では装置本体３の左壁３Ｅに設けられているが、右壁３Ｆに設けられてもよく、その場合の回収部３２は、装置本体３の左壁３Ｅに設けられてもよい。送風部３１は、ケーシング３４と、回転軸３５と、羽根３６とを少なくとも含むファンである。
【００３０】
ケーシング３４は、ボックス状に形成されている。ケーシング３４の右側面には、吐出口３４Ａが形成されている。吐出口３４Ａは、受入空間９を左側Ｘ１から臨み、ケーシング３４の内部空間３４Ｂを受入空間９に連通させている。回転軸３５は、例えばモータ等の駆動部（図示せず）の出力軸に連結された状態において、内部空間３４Ｂに突出している。この駆動部を送風部３１の一部とみなしてもよいし、駆動部の出力軸が回転軸３５であってもよい。羽根３６は、内部空間３４Ｂに配置され、回転軸３５に固定されている。駆動部が作動すると、羽根３６が回転軸３５と一体回転する。これにより、白抜き矢印によって示すように、内部空間３４Ｂの空気が吐出口３４Ａから受入空間９に吐き出されることによって、送風部３１が受入空間９に送風する。なお、送風用の外気を取り込むための吸気口（図示せず）が装置本体３に形成されて、この吸気口から内部空間３４Ｂに外気が供給されてもよい。
【００３１】
回収部３２は、上側Ｚ１へ開放された凹部３２Ａを有するボックス状またはトレイ状に形成されている。回収部３２は、受入空間９の右端、つまり、送風部３１の吐出口３４Ａから右側Ｘ２へ吐き出される風の下流側に位置し、凹部３２Ａの上端は、支持部６の回収面６Ｂに右側Ｘ２から並んでいる。
【００３２】
第１検知部３３は、左右一対の光学センサ３７と、左右一対の光学センサ３８と、左右一対の光学センサ３９とを含む。光学センサ３７は、投入口４に下側Ｚ２から隣接して配置され、光学センサ３８は、上下方向Ｚにおける投入口４と受け部１５との間の途中位置に配置され、光学センサ３９は、受け部１５に上側Ｚ１から隣接して配置されている。
【００３３】
図２のＢ−Ｂ矢視断面図である図４を参照して、各光学センサ３７は、発光素子４０および受光素子４１を１つずつ含む。発光素子４０および受光素子４１は、受入空間９を挟んだ状態において前後方向Ｙに沿って対向配置される。図４に示すように発光素子４０が受光素子４１よりも後側Ｙ２に位置してもよいし、受光素子４１が発光素子４０よりも後側Ｙ２に位置してもよい。発光素子４０が発光した検知光（１点鎖線の矢印を参照）は、この発光素子４０に対向した受光素子４１によって受光される。各光学センサ３８および各光学センサ３９も、各光学センサ３７と同様に、発光素子４０および受光素子４１を含む。
【００３４】
紙幣Ｓが投入口４に投入されると、最初に光学センサ３７の検知光が紙幣Ｓによって遮断される。これにより、第１検知部３３は、投入口４への紙幣Ｓの投入を検知する。投入口４に投入されて受入空間９に受け入れられた紙幣Ｓは、光学センサ３８および３９のそれぞれの検知光を遮断する。これにより、第１検知部３３は、紙幣Ｓが受入空間９に存在すること、つまり、受入空間９における紙幣Ｓの残留を検知する。なお、第１検知部３３は、光学センサ３７、３８および３９を用いた光学的な構成でなく、紙幣Ｓに接触する接触式センサを用いた機械的な構成によって紙幣Ｓの投入や残留を検知してもよい。
【００３５】
図５は、紙幣入金装置１Ａの電気的構成を示したブロック図である。紙幣入金装置１Ａは、制御部５１を備えている。制御部５１は、ＣＰＵやＲＯＭやＲＡＭ等によって構成されている。制御部５１には、開閉部５、押さえ部１６、繰出部１７および送風部３１のそれぞれ、厳密には、これらを動作させる前述した駆動部が電気的に接続されている。そのため、制御部５１は、対応する駆動部を制御することによって、開閉部５を動かして投入口４を開閉したり、押さえ部１６をスライドさせたり、繰出部１７のキックローラ１８、フィードローラ１９および逆転ローラ２０を回転させたり、送風部３１の羽根３６を回転させたりすることができる。
【００３６】
また、制御部５１には、前述した第１検知部３３と、第２検知部５２と、Ｉ／Ｆ（インターフェース）部５３とが電気的に接続されている。制御部５１は、紙幣Ｓが投入口４に投入されたか否かや、紙幣Ｓが受入空間９に残留しているか否かを、第１検知部３３の検知結果に基づいて把握する。第２検知部５２は、受入空間９における紙幣Ｓの数量を検知するためのセンサである。例えば、第２検知部５２は、後退位置の押さえ部１６とキックローラ１８との前後の隙間Ｗ（図２参照）を測定し、隙間Ｗと１枚の紙幣Ｓの厚さとの関係から、隙間Ｗに存在する紙幣Ｓの数量を検知する。なお、隙間Ｗの大きさは紙幣Ｓの数量に応じて変わるので、押さえ部１６の後退位置も、一定ではなく紙幣Ｓの数量に応じて変化する。別の例の第２検知部５２は、受入空間９に存在する紙幣Ｓの総重量を測定し、この総重量と１枚の紙幣Ｓの重量との関係から、紙幣Ｓの数量を検知してもよい。また、紙幣Ｓの数量は、受入空間９に存在する紙幣Ｓの総数を指すのではなく、紙幣Ｓの総重量を指してもよい。
【００３７】
制御部５１は、受入空間９に受け入れられた紙幣Ｓの数量を、第２検知部５２の検知結果に基づいて把握する。制御部５１は、Ｉ／Ｆ部５３を介して、貨幣処理装置２における処理部２Ａ等の他の構成や、貨幣処理装置２における全体の制御を統括するメイン制御部（図示せず）と通信することができる。
【００３８】
図６は、紙幣入金装置１Ａにおいて実施される処理の手順を示すフローチャートである。入金を行いたい使用者は、紙幣入金装置１Ａまたは貨幣処理装置２に設けられた操作部（図示せず）を操作する。すると、制御部５１は、開閉部５を開いて開状態にし、投入口４を使用者側へ開放する（ステップＳ１）。押さえ部１６が前進位置になければ、制御部５１は、ステップＳ１において押さえ部１６を前進位置まで移動させる。使用者が入金のために紙幣Ｓを投入口４に投入したことが第１検知部３３によって検知されないまま所定時間が経過すると（ステップＳ２においてＮＯ）、制御部５１は、開閉部５を閉じて閉状態にし、待機状態に戻る（ステップＳ３）。
【００３９】
紙幣Ｓが投入口４に投入されたことが第１検知部３３によって検知されると（ステップＳ２においてＹＥＳ）、制御部５１は、開閉部５を閉じて閉状態にする（ステップＳ４）。そして、制御部５１は、投入口４に投入された紙幣Ｓに紛れ込んだ異物Ｂを除去するための処理（以下では「異物除去処理」という）を実施する（ステップＳ５）。異物除去処理として、制御部５１は、送風部３１を制御することによって受入空間９に送風する。
【００４０】
異物除去処理の後、制御部５１は、受入空間９の紙幣Ｓを繰り出す処理（以下では「繰出処理」という）を実施する（ステップＳ６）。図２を参照して、繰出処理として、制御部５１は、押さえ部１６を後退位置（１点鎖線の押さえ部１６を参照）まで移動させて受入空間９の紙幣Ｓを押さえ部１６とキックローラ１８との間において挟んでから、キックローラ１８、フィードローラ１９および逆転ローラ２０を回転させる。これにより、押さえ部１６とキックローラ１８との隙間Ｗに存在する紙幣Ｓは、回転中のキックローラ１８に接触している後側Ｙ２の紙幣Ｓから順に、回転中のフィードローラ１９と逆転ローラ２０との間に取り込まれる。複数の紙幣Ｓが重送状態になってフィードローラ１９と逆転ローラ２０との間に取り込まれた場合には、フィードローラ１９とは逆向きに回転する逆転ローラ２０によって重送状態が解消される。そのため、紙幣Ｓが、受入空間９におけるフィードローラ１９と逆転ローラ２０との間から搬送路１０の入口１０Ａへ１枚ずつ繰り出される。搬送路１０へ繰り出された紙幣Ｓは、搬送路１０にて搬送された後に貨幣処理装置２の処理部２Ａ（図１参照）に受け渡され、処理部２Ａによる処理を受ける。
【００４１】
以上のように、制御部５１は、ステップＳ２において第１検知部３３が投入口４への紙幣Ｓの投入を検知してからステップＳ６において繰出部１７が紙幣Ｓの繰り出しを開始するまでのタイミングＴにおいて、ステップＳ５の異物除去処理を実施する（図６参照）。制御部５１は、異物除去処理において、送風部３１を制御することによって、図３の白抜き矢印によって示すように受入空間９に送風する。これにより、投入された紙幣Ｓが受入空間９から搬送路１０へ繰り出される繰出処理よりも前の段階において、紙幣Ｓ同士の間に挟まった異物Ｂを、異物Ｂの自重を利用するだけでなく、送風の勢いも利用して紙幣Ｓから吹き飛ばして積極的に除去することができる。そして、紙幣Ｓは、投入の度に必ず異物除去処理が施されてから搬送路１０へ繰り出されるので、異物Ｂが紙幣Ｓに紛れて搬送路１０に侵入することを抑制できる。このように送風の勢いによって異物Ｂを紙幣Ｓから除去する構成は、たとえば紙幣Ｓが載せられた受け部１５を動かすことによって紙幣Ｓを機械的に揺さぶって異物Ｂを除去する構成よりもシンプルなので、コストダウンを図れる。
【００４２】
送風部３１において風を吐出する吐出口３４Ａは、受入空間９にある紙幣Ｓの端縁部ＳＡを左側Ｘ１から臨んでいるので、送風部３１は、受入空間９にある紙幣Ｓの端縁部ＳＡに対して送風する。受入空間９にある紙幣Ｓは、端縁部ＳＡにおいて送風を受けることによって、前後にばたつくように自由に揺れる（図４参照）。このように紙幣Ｓがばたつくことによって、紙幣Ｓから異物Ｂが剥がれやすくなるので、異物Ｂを効果的に除去できる。なお、紙幣Ｓにおいて端縁部ＳＡでなく表面や裏面に送風すると、紙幣Ｓが受入空間９の内面（支持部６等）に押し付けられて動けなくなるので揺れることができない。そのため、紙幣Ｓの端縁部ＳＡに向けて送風することが重要である。端縁部ＳＡは、紙幣Ｓにおいて長手方向における端縁部であってもよいし、短手方向における端縁部であってもよい。風を当てる端縁部ＳＡの位置に応じて、受入空間９における紙幣Ｓの姿勢を変更してもよいし、送風部３１の吐出口３４Ａの位置を変更してもよい。
【００４３】
図６を参照して、ステップＳ５の異物除去処理を実施するタイミングは、投入口４への紙幣Ｓの投入が検知されたステップＳ２から、繰出部１７が紙幣Ｓの繰り出しを開始するステップＳ６までのいずれかのタイミングＴであればよい。そのため、異物除去処理は、ステップＳ２とステップＳ４との間のタイミング（紙幣Ｓの投入が検知された直後のタイミング）に実施されてもよい。ただし、紙幣入金装置１Ａのように開閉部５を備える場合、ステップＳ５の異物除去処理を実施するタイミングは、投入口４への紙幣Ｓの投入後に開閉部５が閉状態になったステップＳ４から、繰出部１７が紙幣Ｓの繰り出しを開始するステップＳ６までのタイミングＴ１であることが好ましい。この場合、開閉部５の開状態と閉状態とに応じて送風部３１による送風の風量が異なるように、制御部５１は送風部３１を制御してもよい。具体的には、タイミングＴ１（ステップＳ５）において、開閉部５が開状態にある場合よりも風量の多い送風が発生するように、制御部５１は送風部３１を制御する。
【００４４】
風量の多い送風とは、前述したように受入空間９の紙幣Ｓを揺らせる位の勢いを有する送風である。一例として、制御部５１は、送風部３１のＯＮ・ＯＦＦを制御することによって、風量の多い送風を発生させる。具体的に、制御部５１は、開状態において送風部３１をＯＦＦにて風量を零にし、タイミングＴ１における閉状態において送風部３１をＯＮにして、相対的に風量の多い送風を発生させる。別の例として、例えば装置本体３内の冷却のために、開状態および閉状態のいずれであっても送風部３１がＯＮであって受入空間９に常に送風してもよい。この場合、制御部５１は、送風部３１による風の強弱を制御することによって、相対的に風量の多い送風を発生させる。具体的に、制御部５１は、タイミングＴ１における閉状態において強風が発生するように羽根３６の回転数を上げて風量を増やす。一方、制御部５１は、開状態や、前述した待機状態において弱風が発生するように羽根３６の回転数を下げて風量を減らす。このように開閉部５等の状態に応じて風量を変更すれば、風量を多いまま常に一定にする場合と比べて、消費電力の削減を図れる。
【００４５】
タイミングＴ１において風量の多い送風が発生するようにすれば、異物除去処理において、風量の多い送風の勢いによって受入空間９の紙幣Ｓから異物Ｂを一層効果的に除去できる。その結果、搬送路１０に異物Ｂが侵入することも一層効果的に抑制できる。また、異物除去処理において受入空間９への風量の多い状態では、開閉部５が閉状態にあって投入口４を閉じているので、使用者が、強風を投入口４から手等に浴びることによって違和感を受けることを防止できる。
【００４６】
また、タイミングＴやＴ１において、第２検知部５２が検知した紙幣Ｓの数量に応じた風量の送風が発生するように、制御部５１は送風部３１を制御してもよい。これにより、紙幣Ｓの数量が多ければ、送風の風量が相対的に多くなり、紙幣Ｓの数量が少なければ、送風の風量が相対的に少なくなる。そのため、紙幣Ｓの数量に適した風量の送風によって、受入空間９の紙幣Ｓから異物Ｂを一層効果的に除去できる。
【００４７】
図３を参照して、送風によって受入空間９の紙幣Ｓから除去された異物Ｂは、受け部１５の隙間１５Ｂを通って回収空間９Ａに落下して右側Ｘ２へ流れたり、受け部１５の上面１５Ａを伝って右側Ｘ２へ移動したりした後に、回収部３２に凹部３２Ａに落下する（図３の黒抜き矢印を参照）。これにより、異物Ｂは、回収部３２によって回収される。そのため、この異物Ｂが受入空間９の紙幣Ｓに再び紛れ込んだ後に、搬送路１０に侵入することを抑制できる。なお、回収空間９Ａを回収部３２の一部とみなしてよく、この場合、たとえばクリップや硬貨等の比較的重い異物Ｂが回収空間９Ａに回収され、ゴミやホコリ等の比較的軽い異物Ｂが本来の回収部３２に回収される。また、回収部３２に回収された異物Ｂを捨てるために、回収部３２は、装置本体３から取り外し可能であってもよい。または、使用者は、指先を装置本体３の凹部３Ｄ（図２参照）に差し込むことによって、回収部３２に回収された異物Ｂを掻き出してもよい。
【００４８】
図４を参照して、紙幣入金装置１Ａは、送風部３１による送風の向きを変更する変更部４２を含んでもよい。回転軸３５および羽根３６を前後（図４の破線矢印を参照）に揺動させたり、送風部３１の全体を前後に揺動させたりする首振り機構を、変更部４２として採用できる。送風部３１による送風の向きが変更されることによって、受入空間９の紙幣Ｓに対して万遍なく風を浴びせることができる。これにより、受入空間９の紙幣Ｓから異物Ｂを効果的に除去できる。
【００４９】
また、おろしたての新券（いわゆる官封券）の束が投入口４から投入される場合がある。官封券の束の中では、隣り合う官封券同士が密着している場合があるので、使用者が官封券の束を十分に捌いてから投入口４に投入しないと、ステップＳ６の繰出処理の際に重送等の不具合が生じやすい。しかし、使用者が官封券の束を捌くことを忘れたまま投入口４に投入しても、送風部３１による送風によって受入空間９における官封券の束が勝手に捌かれて、隣り合う官封券同士の間に隙間ができる。これにより、その後の繰出処理において不具合が生じることを抑制されるので、官封券を安定して繰り出すことができる。
【００５０】
図７は、硬貨入金装置１Ｂの前側部分の模式的な斜視図である。図７では、外側の化粧カバー６１（図１参照）が取り外された状態における硬貨入金装置１Ｂの装置本体６２の一部が図示されている。硬貨入金装置１Ｂにも、紙幣入金装置１Ａの構成を適用できる。硬貨入金装置１Ｂは、装置本体６２に設けられた投入口６３、受入空間６４、搬送路６５、繰出部６６、第１検知部６７、第２検知部６８、送風部６９、回収部７０および制御部７１を含む。
【００５１】
装置本体６２は、例えばボックス状に形成されている。投入口６３は、装置本体６２の上面の右端部に形成されていて、使用者がアクセスできるように、貨幣処理装置２から露出されている（図１参照）。投入口６３には、使用者によって上側Ｚ１から硬貨Ｋが投入される。受入空間６４は、投入口６３から連続して下側Ｚ２へ窪んだ凹状に形成されていて、投入口６３に投入された硬貨Ｋを受け入れる。搬送路６５は、受入空間６４の下端部から連続して、例えば左側Ｘ１へ延びた後に折れ曲がって後側Ｙ２へ延びている。なお、硬貨Ｋが出金される出金部７２（図１参照）のように硬貨Ｋを出金するための構成は、硬貨入金装置１Ｂでなく、貨幣処理装置２の処理部２Ａ等に設けられてもよい。
【００５２】
繰出部６６は、例えば、搬送ローラ７３と、駆動ローラ７４と、伝達ベルト７５とを含む。搬送ローラ７３および駆動ローラ７４は、左右方向Ｘに延びる中心軸を有する円筒体であり、装置本体６２によって支持されている。搬送ローラ７３は、搬送路６５の右端部である入口６５Ａに上側Ｚ１から対向して、受入空間６４に左側Ｘ１から露出されている。搬送ローラ７３の前端部７３Ａと駆動ローラ７４とは、装置本体６２から前側Ｙ１に露出されている。伝達ベルト７５は、エンドレスベルトであって、前端部７３Ａと駆動ローラ７４とに掛け回されている。装置本体６２は、駆動ローラ７４を回転させるモータ等の駆動部（図示せず）を含む。この駆動部によって駆動ローラ７４が駆動回転されると、伝達ベルト７５が周回移動する。これにより、搬送ローラ７３が、破線矢印によって示すように従動回転する。受入空間６４に受入られた硬貨Ｋは、従動回転する搬送ローラ７３によって搬送路６５の入口６５Ａへ向けて左側Ｘ１へ繰り出される。つまり、搬送ローラ７３を有する繰出部６６による硬貨Ｋの繰り出し方向は、左側Ｘ１である。搬送路６５に繰り出された硬貨Ｋは、搬送路６５を通過した後に貨幣処理装置２の処理部２Ａに受け渡され、処理部２Ａによる処理を受ける（図１参照）。なお、搬送ローラ７３の代わりに、搬送路６５に沿って周回移動しながら硬貨Ｋを繰り出して搬送する無端状の搬送ベルト（図示せず）を用いてもよい。
【００５３】
第１検知部６７は、前述した第１検知部３３と同様の機能を有し、投入口６３への硬貨Ｋの投入を検知する。第２検知部６８は、前述した第２検知部５２と同様の機能を有し、受入空間６４における硬貨Ｋの数量を検知する。送風部６９は、前述した送風部３１と同様に受入空間６４に送風する機能を有し、例えば搬送ローラ７３の上側Ｚ１つまり搬送路６５の入口６５Ａの上側Ｚ１に配置されている。送風部６９において左側Ｘ１から受入空間６４を臨む右面には、風の吐出口６９Ａが形成されている。回収部７０は、下側Ｚ２へ窪んだ凹状に形成されていて、装置本体６２において受入空間６４の右側Ｘ２に配置されている。装置本体６２には、受入空間６４と回収部７０とを連通させる通路６２Ａが形成されている。
【００５４】
制御部７１は、前述した制御部５１と同様にＣＰＵやＲＯＭやＲＡＭ等によって構成されている。制御部７１は、繰出部６６および送風部６９を動作させたり、第１検知部６７および第２検知部６８から検知結果を受け付けたりする。制御部７１は、制御部５１と同様に、第１検知部６７が投入口６３への硬貨Ｋの投入を検知してから繰出部６６が硬貨Ｋの繰り出しを開始するまでのいずれかのタイミングＴにおいて、送風部６９を制御することによって受入空間６４に送風する。
【００５５】
送風部６９において搬送路６５の入口６５Ａの上側Ｚ１にある吐出口６９Ａは、白抜き矢印によって示すように風を右側Ｘ２へ吐出するので、送風部６９は、繰出部６６による硬貨Ｋの繰り出し方向（左側Ｘ１）と対向する右側Ｘ２の方向（当該繰り出し方向における上流側）へ向けて受入空間６４に送風する。これにより、硬貨Ｋから取り除かれたホコリ等の異物Ｂが搬送路６５に侵入することを確実に防止できる。紙幣入金装置１Ａにおいても同様の効果を奏するために、紙幣入金装置１Ａの送風部３１は、繰出部１７による紙幣Ｓの繰り出し方向（後側Ｙ２）と対向する方向（前側Ｙ１）に向けて受入空間９に送風してもよい（図２参照）。吐出口６９Ａから吐出された風の流れる先には、回収部７０が位置する。そのため、送風部６９の送風によって受入空間６４の硬貨Ｋから除去された異物Ｂは、黒抜き矢印によって示すように通路６２Ａを通って回収部７０に到達し、回収部７０によって回収される。回収部７０によって回収された異物Ｂを取り出すために、回収部７０は、装置本体６２から取り外し可能であってもよい。
【００５６】
なお、制御部７１は、紙幣入金装置１Ａの制御部５１と同様に、タイミングＴにおいて、第２検知部６８が検知した硬貨Ｋの数量に応じた風量の送風が発生するように、送風部６９を制御してもよい。また、硬貨入金装置１Ｂが、開閉部５と同様に投入口６３を開閉する開閉部（図示せず）を含んでもよく、この場合には、制御部７１は、前述したステップＳ１〜Ｓ６に相当する処理（図６参照）を行ってもよい。また、前述した変更部４２（図４参照）に相当する構成によって、送風部６９による送風の向きが変更できてもよい。
【００５７】
なお、上述した異物除去処理は、紙幣Ｓまたは硬貨Ｋが投入口４または投入口６３に投入されてから繰出処理が開始されるまでのタイミングＴにおいて実行されればよい。そのため、例えば、貨幣処理装置２に設けられた人物検知センサ（図示せず）が使用者を検知したタイミングや、使用者が入金処理のために貨幣処理装置２の操作部（図示せず）を操作したタイミングから異物除去処理が開始されていてもよいし、送風部３１や６９が送風を常時発生させていてもよい。
【００５８】
また、紙幣Ｓまたは硬貨Ｋが投入口４または投入口６３に投入される前から異物除去処理を開始してもよく、その場合には、紙幣Ｓまたは硬貨Ｋが投入口４または投入口６３に投入された後、開閉部５を閉じてから風量を大きくするようにしてもよい。このような構成では、紙幣Ｓや硬貨Ｋを投入しようとする使用者に、送風による違和感を与えないようにすることができる。
【００５９】
また、異物除去処理は、繰出処理が開始された後も継続されてもよい。この場合には、紙幣Ｓや硬貨Ｋの繰出中に異物Ｂを除去することが可能となる。異物除去処理は、繰出処理が完了したタイミングで終了してもよいし、繰出処理の完了後も継続していてもよい。
【００６０】
この発明は、以上の実施形態の内容に限定されるものではなく、請求項に記載の範囲内において種々の変更が可能である。
【００６１】
例えば、紙幣入金装置１Ａにおいて送風部３１の吐出口３４Ａが受入空間９を臨んでいるため、送風部３１は受入空間９に直接送風するが（図３参照）、吐出口３４Ａと受入空間９との間に流路（図示せず）が介在していて、送風部３１は、この流路を介して受入空間９に間接的に送風してもよい。硬貨入金装置１Ｂの送風部６９についても同様である。
【００６２】
また、貨幣処理装置２におけるメイン制御部（図示せず）が、紙幣入金装置１Ａの制御部５１および硬貨入金装置１Ｂの制御部７１の少なくともいずれかを兼ねてもよい。
【符号の説明】
【００６３】
１      貨幣入金装置
１Ａ    紙幣入金装置
１Ｂ    硬貨入金装置
２      貨幣処理装置
２Ａ    処理部
４      投入口
５      開閉部
９      受入空間
１０    搬送路
１７    繰出部
３１    送風部
３２    回収部
３３    第１検知部
４２    変更部
５１    制御部
５２    第２検知部
６３    投入口
６４    受入空間
６５    搬送路
６６    繰出部
６７    第１検知部
６８    第２検知部
６９    送風部
７０    回収部
７１    制御部
Ｂ      異物
Ｋ      硬貨
Ｓ      紙幣
ＳＡ    端縁部
Ｔ      タイミング
Ｔ１    タイミング
【図１】
2017167951.tif 000003
【図２】
2017167951.tif 000004
【図３】
2017167951.tif 000005
【図４】
2017167951.tif 000006
【図５】
2017167951.tif 000007
【図６】
2017167951.tif 000008
【図７】
2017167951.tif 000009